(57)【特許請求の範囲】
【請求項１】
無線アクセスネットワーク（ＲＡＮ）輻輳におけるエクスペリエンス品質（ＱｏＥ）を改善するための方法であって、
ＲＡＮから、利用可能な品質制御インジケータ（ＱＣＩ）を示す輻輳ポリシー情報を受信することと、
前記利用可能なＱＣＩから、ベアラ上で前記ＲＡＮと通信する、ユーザ機器（ＵＥ）で実行する複数のアプリケーションの各々についてのＱＣＩを選択することと、
前記ＵＥによって前記ＲＡＮに、前記複数のアプリケーションの各々についての前記ＱＣＩを示すことと、
前記ＵＥにおいて、前記ＱＣＩに基づいて前記ベアラまたは追加のベアラの変更に関する情報を受信することと、
前記ＵＥで実行する前記複数のアプリケーションのうちの少なくとも１つについての所望のＱｏＥを達成するために前記情報に従って前記ＵＥにおいて前記ベアラまたは追加のベアラを変更することとを備える、方法。
【請求項２】
前記ＵＥによって、前記ＲＡＮにおいて高負荷を検出することであって、前記複数のアプリケーションの各々についての前記ＱＣＩを前記示すことが、前記高負荷を前記検出することに部分的に基づく、検出することをさらに備える、請求項１に記載の方法。
【請求項３】
前記高負荷を前記検出することが、前記複数のアプリケーションのうちの少なくとも１つのアプリケーションについてのＱｏＥの劣化を検出することを備える、請求項２に記載の方法。
【請求項４】
ＱｏＥの前記劣化を前記検出することが、しきい値を下回る前記少なくとも１つのアプリケーションについてのデータレートを判断すること、あるいはユーザまたはアプリケーション入力から前記劣化の指示を受信することを備える、請求項３に記載の方法。
【請求項５】
前記示すことが、前記少なくとも１つのアプリケーションにおけるＱｏＥを改善するために、前記複数のアプリケーションのうちの少なくとも別のアプリケーションについてよりも前記少なくとも１つのアプリケーションについての方が高いとして前記ＱＣＩを示すことを備える、請求項３に記載の方法。
【請求項６】
前記高負荷を前記検出することが、前記ＲＡＮから前記高負荷の指示を受信することを備える、請求項２に記載の方法。
【請求項７】
前記複数のアプリケーションの各々についての前記ＱＣＩを初期化することであって、前記複数のアプリケーションの各々についての前記ＱＣＩを前記示すことが、前記高負荷を前記検出することに基づいて初期化されるとき前記複数のアプリケーションの各々についての前記ＱＣＩを更新することを備える、初期化することをさらに備える、請求項２に記載の方法。
【請求項８】
無線アクセスネットワーク（ＲＡＮ）輻輳におけるエクスペリエンス品質（ＱｏＥ）を改善するための装置であって、
ＲＡＮから、利用可能な品質制御インジケータ（ＱＣＩ）を示す輻輳ポリシー情報を受信することと、
前記利用可能なＱＣＩから、ベアラ上で前記ＲＡＮと通信する、前記装置で実行する複数のアプリケーションの各々についてのＱＣＩを選択することと、
前記装置によって前記ＲＡＮに、前記複数のアプリケーションの各々についての前記ＱＣＩを示すことと、
前記装置において、前記ＱＣＩに基づいて前記ベアラまたは追加のベアラの変更に関する情報を受信することと、
前記装置で実行する前記複数のアプリケーションのうちの少なくとも１つについての所望のＱｏＥを達成するために前記情報に従って前記装置において前記ベアラまたは追加のベアラを変更することと
を行うように構成された処理システムと、
前記処理システムに結合されたメモリとを備える、装置。
【請求項９】
前記処理システムが、前記装置によって前記ＲＡＮにおいて高負荷を検出するようにさらに構成され、前記処理システムが、前記高負荷を前記検出することに部分的に基づいて前記複数のアプリケーションの各々についての前記ＱＣＩを示す、請求項８に記載の装置。
【請求項１０】
前記処理システムが、部分的に、前記複数のアプリケーションのうちの少なくとも１つのアプリケーションについてのＱｏＥの劣化を検出することによって前記高負荷を検出する、請求項９に記載の装置。
【請求項１１】
前記処理システムが、少なくとも部分的に、しきい値を下回る前記少なくとも１つのアプリケーションについてのデータレートを判断すること、あるいはユーザまたはアプリケーション入力から前記劣化の指示を受信することによって、ＱｏＥの前記劣化を検出する、請求項１０に記載の装置。
【請求項１２】
前記処理システムが、前記少なくとも１つのアプリケーションにおけるＱｏＥを改善するために、前記複数のアプリケーションのうちの少なくとも別のアプリケーションについてよりも前記少なくとも１つのアプリケーションについての方が高いとして前記ＱＣＩを示すようにさらに構成される、請求項１０に記載の装置。
【請求項１３】
前記処理システムが、部分的に、前記ＲＡＮから前記高負荷の指示を受信することによって前記高負荷を検出する、請求項９に記載の装置。
【請求項１４】
前記処理システムが、前記複数のアプリケーションの各々についての前記ＱＣＩを初期化するようにさらに構成され、前記処理システムは、少なくとも部分的に、前記高負荷を前記検出することに基づいて初期化されるとき前記複数のアプリケーションの各々についての前記ＱＣＩを更新することによって、前記複数のアプリケーションの各々についての前記ＱＣＩを示す、請求項９に記載の装置。
【請求項１５】
無線アクセスネットワーク（ＲＡＮ）輻輳におけるエクスペリエンス品質（ＱｏＥ）を改善するための装置であって、
ＲＡＮから、利用可能な品質制御インジケータ（ＱＣＩ）を示す輻輳ポリシー情報を受信するための手段と、
前記利用可能なＱＣＩから、ベアラ上で前記ＲＡＮと通信する、前記装置で実行する複数のアプリケーションの各々についてのＱＣＩを選択するための手段と、
前記装置によって前記ＲＡＮに、前記複数のアプリケーションの各々についての前記ＱＣＩを示すための手段と、
前記装置において、前記ＱＣＩに基づいて前記ベアラまたは追加のベアラの変更に関する情報を受信するための手段と、
前記装置で実行する前記複数のアプリケーションのうちの少なくとも１つについての所望のＱｏＥを達成するために前記情報に従って前記装置において前記ベアラまたは追加のベアラを変更するための手段とを備える、装置。
【請求項１６】
前記装置によって、前記ＲＡＮにおいて高負荷を検出するための手段をさらに備え、前記示すための手段が、前記高負荷に部分的に基づいて前記複数のアプリケーションの各々についての前記ＱＣＩを示す、請求項１５に記載の装置。
【請求項１７】
前記検出するための手段が、部分的に、前記複数のアプリケーションのうちの少なくとも１つのアプリケーションについてのＱｏＥの劣化を検出することによって前記高負荷を検出する、請求項１６に記載の装置。
【請求項１８】
前記検出するための手段が、少なくとも部分的に、しきい値を下回る前記少なくとも１つのアプリケーションについてのデータレートを判断すること、あるいはユーザまたはアプリケーション入力から前記劣化の指示を受信することによって、ＱｏＥの前記劣化を検出する、請求項１７に記載の装置。
【請求項１９】
前記示すための手段が、前記少なくとも１つのアプリケーションにおけるＱｏＥを改善するために、前記複数のアプリケーションのうちの少なくとも別のアプリケーションについてよりも前記少なくとも１つのアプリケーションについての方が高いとして前記ＱＣＩを示す、請求項１７に記載の装置。
【請求項２０】
前記検出するための手段が、部分的に、前記ＲＡＮから前記高負荷の指示を受信することによって前記高負荷を検出する、請求項１６に記載の装置。
【請求項２１】
前記複数のアプリケーションの各々についての前記ＱＣＩを初期化するための手段をさらに備え、前記示すための手段は、少なくとも部分的に、前記高負荷を前記検出することに基づいて初期化されるとき前記複数のアプリケーションの各々についての前記ＱＣＩを更新することによって、前記複数のアプリケーションの各々についての前記ＱＣＩを示す、請求項１６に記載の装置。
【請求項２２】
少なくとも１つのコンピュータに、ＲＡＮから、利用可能な品質制御インジケータ（ＱＣＩ）を示す輻輳ポリシー情報を受信させるためのコードと、
前記少なくとも１つのコンピュータに、前記利用可能なＱＣＩから、ベアラ上で前記ＲＡＮと通信する、ユーザ機器（ＵＥ）で実行する複数のアプリケーションの各々についてのＱＣＩを選択させるためのコードと、
前記少なくとも１つのコンピュータに、前記ＵＥによって前記ＲＡＮに前記複数のアプリケーションの各々についての前記ＱＣＩを示させるためのコードと、
前記少なくとも１つのコンピュータに、前記ＵＥにおいて、前記ＱＣＩに基づいて前記ベアラまたは追加のベアラの変更に関する情報を受信させるためのコードと、
前記少なくとも１つのコンピュータに、前記ＵＥで実行する前記複数のアプリケーションのうちの少なくとも１つについての所望のＱｏＥを達成するために前記情報に従って前記ＵＥにおいて前記ベアラまたは追加のベアラを変更させるためのコードと
を備える、非トランジトリなコンピュータ可読媒体。
【請求項２３】
前記少なくとも１つのコンピュータに、前記ＵＥによって前記ＲＡＮにおいて高負荷を検出させるためのコードをさらに備え、前記少なくとも１つのコンピュータに示させるための前記コードが、前記高負荷に部分的に基づいて前記複数のアプリケーションの各々についての前記ＱＣＩを示す、請求項２２に記載の非トランジトリなコンピュータ可読媒体。
【請求項２４】
前記少なくとも１つのコンピュータに検出させるための前記コードが、部分的に、前記複数のアプリケーションのうちの少なくとも１つのアプリケーションについてのＱｏＥの劣化を検出することによって前記高負荷を検出する、請求項２３に記載の非トランジトリなコンピュータ可読媒体。
【請求項２５】
前記少なくとも１つのコンピュータに検出させるための前記コードが、少なくとも部分的に、しきい値を下回る前記少なくとも１つのアプリケーションについてのデータレートを判断すること、あるいはユーザまたはアプリケーション入力から前記劣化の指示を受信することによって、ＱｏＥの前記劣化を検出する、請求項２４に記載の非トランジトリなコンピュータ可読媒体。
【請求項２６】
前記少なくとも１つのコンピュータに示させるための前記コードが、前記少なくとも１つのアプリケーションにおけるＱｏＥを改善するために、前記複数のアプリケーションのうちの少なくとも別のアプリケーションについてよりも前記少なくとも１つのアプリケーションについての方が高いとして前記ＱＣＩを示す、請求項２４に記載の非トランジトリなコンピュータ可読媒体。
【請求項２７】
前記少なくとも１つのコンピュータに検出させるための前記コードが、部分的に、前記ＲＡＮから前記高負荷の指示を受信することによって前記高負荷を検出する、請求項２３に記載の非トランジトリなコンピュータ可読媒体。
【請求項２８】
１つまたは複数のユーザ機器（ＵＥ）についてのエクスペリエンス品質（ＱｏＥ）を改善するための方法であって、
複数の利用可能な品質制御インジケータ（ＱＣＩ）を示す１つまたは複数の輻輳制御ポリシーをＵＥに通信することと、
ベアラに関係する複数のアプリケーションの各々についての前記利用可能なＱＣＩのＱＣＩを前記ＵＥから受信することと、
前記ＵＥにおけるＱｏＥを改善するために前記複数のアプリケーションの各々についての前記ＱＣＩに基づいて、前記ＵＥと通信するために前記ベアラを変更するか、または追加のベアラを追加することと、
前記ＵＥに、前記ＱＣＩに基づいて前記ベアラまたは追加のベアラの変更に関する情報を通信することと、
を備える、方法。
【請求項２９】
前記ＵＥに高負荷を示すことをさらに備え、前記複数のアプリケーションの各々についての前記ＱＣＩが、前記高負荷に応答して受信される、請求項２８に記載の方法。
【請求項３０】
１つまたは複数のユーザ機器（ＵＥ）についてのエクスペリエンス品質（ＱｏＥ）を改善するための装置であって、
複数の利用可能な品質制御インジケータ（ＱＣＩ）を示す１つまたは複数の輻輳制御ポリシーをＵＥに通信することと、
ベアラに関係する複数のアプリケーションの各々についての前記利用可能なＱＣＩのＱＣＩを前記ＵＥから受信することと、
前記ＵＥにおけるＱｏＥを改善するために前記複数のアプリケーションの各々についての前記ＱＣＩに基づいて、前記ＵＥと通信するために前記ベアラまたは追加のベアラを変更することと、
前記ＵＥに、前記ＱＣＩに基づいて前記ベアラまたは追加のベアラの変更に関する情報を通信することと、
を行うように構成された処理システムと、
前記処理システムに結合されたメモリとを備える、装置。
【請求項３１】
前記処理システムが、前記ＵＥに高負荷を示すようにさらに構成され、前記複数のアプリケーションの各々についての前記ＱＣＩが、前記高負荷に応答して受信される、請求項３０に記載の装置。
【請求項３２】
１つまたは複数のユーザ機器（ＵＥ）についてのエクスペリエンス品質（ＱｏＥ）を改善するための装置であって、
複数の利用可能な品質制御インジケータ（ＱＣＩ）を示す１つまたは複数の輻輳制御ポリシーをＵＥに通信するための手段と、
ベアラに関係する複数のアプリケーションの各々についての前記利用可能なＱＣＩからのＱＣＩを前記ＵＥから受信するための手段と、
前記ＵＥにおけるＱｏＥを改善するために前記複数のアプリケーションの各々についての前記ＱＣＩに基づいて、前記ＵＥと通信するために前記ベアラを変更するか、または追加のベアラを追加するための手段と、
前記ＵＥに、前記ＱＣＩに基づいて前記ベアラまたは追加のベアラの変更に関する情報を通信するための手段と、
を備える、装置。
【請求項３３】
前記ＵＥに高負荷を示すための手段をさらに備え、前記複数のアプリケーションの各々についての前記ＱＣＩが、前記高負荷に応答して受信される、請求項３２に記載の装置。
【請求項３４】
少なくとも１つのコンピュータに、複数の利用可能な品質制御インジケータ（ＱＣＩ）を示す１つまたは複数の輻輳制御ポリシーをＵＥに通信させるためのコードと、
前記少なくとも１つのコンピュータに、ベアラに関係する複数のアプリケーションの各々についての前記利用可能なＱＣＩからのＱＣＩを前記ＵＥから受信させるためのコードと、
前記少なくとも１つのコンピュータに、前記ＵＥにおけるＱｏＥを改善するために前記複数のアプリケーションの各々についての前記ＱＣＩに基づいて、前記ＵＥと通信するために前記ベアラまたは追加のベアラを変更させるためのコードと、
前記少なくとも１つのコンピュータに、前記ＵＥに、前記ＱＣＩに基づいて前記ベアラまたは追加のベアラの変更に関する情報を通信させるためのコードと、
を備える、非トランジトリなコンピュータ可読媒体。
【請求項３５】
前記少なくとも１つのコンピュータに、前記ＵＥに高負荷を示させるためのコードをさらに備え、前記複数のアプリケーションの各々についての前記ＱＣＩが、前記高負荷に応答して受信される、請求項３４に記載の非トランジトリなコンピュータ可読媒体。
【発明の詳細な説明】
【技術分野】
【０００１】
米国特許法第１１９条に基づく優先権の主張
[0001]  本特許出願は、本出願の譲受人に譲渡され、参照により本明細書に明確に組み込まれる、２０１２年２月１日に出願された「APPARATUS AND METHOD FOR USER EQUIPMENT ASSISTED CONGESTION CONTROL」と題する仮出願第６１／５９３，６１０号の優先権を主張する。
【背景技術】
【０００２】
[0002]  ワイヤレス通信システムは、音声、データなど、様々なタイプの通信コンテンツを提供するために広く展開されている。これらのシステムは、利用可能なシステムリソース（たとえば、帯域幅および送信電力）を共有することによって複数のユーザとの通信をサポートすることが可能な多元接続システムであり得る。そのような多元接続システムの例としては、符号分割多元接続（ＣＤＭＡ）システム、時分割多元接続（ＴＤＭＡ）システム、周波数分割多元接続（ＦＤＭＡ）システム、３ＧＰＰロングタームエボリューション（ＬＴＥ：Long Term Evolution）システム、および直交周波数分割多元接続（ＯＦＤＭＡ）システムがある。
【０００３】
[0003]  概して、ワイヤレス多元接続通信システムは、複数のユーザ機器デバイス（user equipment device）（ＵＥ）のための通信を同時にサポートすることができる。各ＵＥは、順方向リンクおよび逆方向リンク上での送信を介して、発展型ノードＢ（ｅＮＢ）など、１つまたは複数の基地局と通信する。順方向リンク（またはダウンリンク）とは、ｅＮＢからＵＥへの通信リンクを指し、逆方向リンク（またはアップリンク）とは、ＵＥからｅＮＢへの通信リンクを指す。この通信リンクは、単入力単出力、多入力単出力または多入力多出力（ＭＩＭＯ）システムを介して確立され得る。
【０００４】
[0004]  ＵＥは、１つまたは複数の無線アクセスベアラ（ＲＡＢ：radio access bearer）上でｅＮＢと通信することができ、無線アクセスベアラ（ＲＡＢ）は、それぞれサービス品質（ＱｏＳ：quality-of-service）または同様のプロパティを指定することができる。無線アクセスネットワーク（ＲＡＮ：radio access network）における負荷が増加するにつれて、ＲＡＮが輻輳状態になることがあり、ＵＥにおけるエクスペリエンス品質（ＱｏＥ：quality of experience）が減少することがあるが、ＵＥにおける関係するサービスは、依然として、関係するＲＡＢのＱｏＳを満たす。そのようなＱｏＥ劣化（degradation）は、たとえば、ＵＥ上のウェブブラウジング、ファイルダウンロード、呼設定などの知覚される遅延、不安定なビデオまたはオーディオストリーミング（またはそれの品質の低下）などに現れることがある。ＲＡＮにおけるあるレベルの輻輳（congestion）を仮定すれば、異なるアプリケーションが異なるＱｏＥ影響を受けやすい。いくつかのソリューションは、負荷情報がＲＡＮによってコアワイヤレスネットワークに与えられるＲＡＮにおいてリソース再配分を実現し、したがって、それにより、１つまたは複数のサービスについてのＱｏＥの改善の試みにおいて輻輳に鑑みてトラフィックをスロットリングすることができる。しかしながら、リソース再配分（resource redistribution）を実現するのに必要なスロットリング（throttling）は、簡単でないことがあり、その結果、不当に複雑および不正確な動作を生じ得る。
【０００５】
[0005]  したがって、ＵＥ支援型輻輳制御を行う方法および装置が望まれ得る。
【発明の概要】
【０００６】
[0006]  以下で、１つまたは複数の態様の基本的理解を与えるために、そのような態様の簡略化された概要を提示する。この概要は、すべての企図された態様の包括的な概観ではなく、すべての態様の主要または重要な要素を識別するものでも、いずれかまたはすべての態様の範囲を定めるものでもない。その唯一の目的は、後で提示するより詳細な説明の導入として、１つまたは複数の態様のいくつかの概念を簡略化された形で提示することである。
【０００７】
[0007]  １つまたは複数の態様およびその対応する開示に従って、ＲＡＮ輻輳におけるＱｏＥを改善することに関して、様々な態様について説明する。一例では、通信デバイスは、ベアラ（bearer）上でＲＡＮと通信する複数のアプリケーションの各々についての品質制御インジケータ（ＱＣＩ：quality control indicator）を示すことと、ＱＣＩに基づいてベアラまたは追加のベアラの変更（modification）に関する情報を受信することと、複数のアプリケーションのうちの少なくとも１つについての所望のＱｏＥを達成するために情報に従ってベアラまたは追加のベアラを変更することとを行う能力がある。別の例では、ＲＡＮは、ＵＥから、ベアラに関係する複数のアプリケーションの各々についてのＱＣＩを受信することと、ＵＥにおけるＱｏＥを改善するために複数のアプリケーションの各々についてのＱＣＩに基づいて、ＵＥと通信するためにベアラを変更するか、または追加のベアラを追加することとを行う能力がある。
【０００８】
[0008]  関係する態様によれば、ＵＥ支援型輻輳制御を行うための方法が提供される。本方法は、ベアラ上でＲＡＮと通信する複数のアプリケーションの各々についてのＱＣＩを示すことを含むことができる。さらに、本方法は、ＱＣＩに基づいてベアラまたは追加のベアラの変更に関する情報を受信することを含むことができる。その上、本方法は、複数のアプリケーションのうちの少なくとも１つについての所望のＱｏＥを達成するために情報に従ってベアラまたは追加のベアラを変更することを含み得る。
【０００９】
[0009]  別の態様は、ＵＥ支援型輻輳制御を行うことが可能な通信装置に関する。本通信装置は、ベアラ上でＲＡＮと通信する複数のアプリケーションの各々についてのＱＣＩを示すための手段を含むことができる。さらに、本通信装置は、ＱＣＩに基づいてベアラまたは追加のベアラの変更に関する情報を受信するための手段を含むことができる。その上、本通信装置は、複数のアプリケーションのうちの少なくとも１つについての所望のＱｏＥを達成するために情報に従ってベアラまたは追加のベアラを変更するための手段を含むことができる。
【００１０】
[0010]  別の態様は通信装置に関する。本装置は、ベアラ上でＲＡＮと通信する複数のアプリケーションの各々についてのＱＣＩを示すように構成された処理システムを含むことができる。さらに、処理システムは、ＱＣＩに基づいてベアラまたは追加のベアラの変更に関する情報を受信するように構成され得る。その上、処理システムは、複数のアプリケーションのうちの少なくとも１つについての所望のＱｏＥを達成するために情報に従ってベアラまたは追加のベアラを変更するようにさらに構成され得る。
【００１１】
[0011]  さらに別の態様は、ベアラ上でＲＡＮと通信する複数のアプリケーションの各々についてのＱＣＩを示すためのコードを含むコンピュータ可読媒体を有することができるコンピュータプログラム製品に関する。さらに、コンピュータ可読媒体は、ＱＣＩに基づいてベアラまたは追加のベアラの変更に関する情報を受信するためのコードを含み得る。その上、コンピュータ可読媒体は、複数のアプリケーションのうちの少なくとも１つについての所望のＱｏＥを達成するために情報に従ってベアラまたは追加のベアラを変更するためのコードを含むことができる。
【００１２】
[0012]  別の関係する態様によれば、ＵＥ支援型輻輳制御を行うための方法が提供される。本方法は、ＵＥから、ベアラに関係する複数のアプリケーションの各々についてのＱＣＩを受信することを含むことができる。その上、本方法は、ＵＥにおけるＱｏＥを改善するために複数のアプリケーションの各々についてのＱＣＩに基づいて、ＵＥと通信するためにベアラを変更するか、または追加のベアラを追加することを含み得る。
【００１３】
[0013]  別の態様は、ＵＥ支援型輻輳制御を行うことが可能な通信装置に関する。本通信装置は、ＵＥから、ベアラに関係する複数のアプリケーションの各々についてのＱＣＩを受信するための手段を含むことができる。その上、本通信装置は、ＵＥにおけるＱｏＥを改善するために複数のアプリケーションの各々についてのＱＣＩに基づいて、ＵＥと通信するためにベアラを変更するか、または追加のベアラを追加するための手段を含むことができる。
【００１４】
[0014]  別の態様は通信装置に関する。本装置は、ＵＥから、ベアラに関係する複数のアプリケーションの各々についてのＱＣＩを受信するように構成された処理システムを含むことができる。その上、処理システムは、ＵＥにおけるＱｏＥを改善するために複数のアプリケーションの各々についてのＱＣＩに基づいて、ＵＥと通信するためにベアラを変更するか、または追加のベアラを追加するようにさらに構成され得る。
【００１５】
[0015]  さらに別の態様は、ＵＥから、ベアラに関係する複数のアプリケーションの各々についてのＱＣＩを受信するためのコードを含むコンピュータ可読媒体を有することができるコンピュータプログラム製品に関する。その上、コンピュータ可読媒体は、ＵＥにおけるＱｏＥを改善するために複数のアプリケーションの各々についてのＱＣＩに基づいて、ＵＥと通信するためにベアラを変更するか、または追加のベアラを追加するためのコードを含むことができる。
【００１６】
[0016]  上記および関係する目的を達成するために、１つまたは複数の態様は、以下で十分に説明し、特に特許請求の範囲で指摘する特徴を備える。以下の説明および添付の図面に、１つまたは複数の態様のうちのいくつかの例示的な特徴を詳細に記載する。ただし、これらの特徴は、様々な態様の原理を採用することができる様々な方法のほんのいくつかを示すものであり、この説明は、すべてのそのような態様およびそれらの均等物を含むものとする。
【００１７】
[0017]  開示する態様について、開示する態様を限定するためにではなく、例示するために与える、添付の図面とともに以下で説明し、同様の表示は同様の要素を示す。
【図面の簡単な説明】
【００１８】
【図１】[0018]  例示的なアクセスネットワークアーキテクチャのブロック図。
【図２】[0019]  無線アクセスネットワーク（ＲＡＮ）輻輳の場合に、ユーザ機器（ＵＥ）上の１つまたは複数のアプリケーションのエクスペリエンス品質（ＱｏＥ）を改善するための例示的なシステムを示す図。
【図３】[0020]  ＲＡＮ輻輳におけるＱｏＥを改善するために１つまたは複数のアプリケーションの品質制御インジケータ（ＱＣＩ）を変更するための例示的なシステムを示す図。
【図４】[0021]  アプリケーションについてのＱｏＥを改善するために１つまたは複数のベアラを変更するための例示的な方法を示す図。
【図５】[0022]  デバイスに、それのＱｏＥを改善するために１つまたは複数のアプリケーションに関係するベアラを変更させるための例示的な方法を示す図。
【図６】[0023]  アプリケーションについてのＱｏＥを改善するために１つまたは複数のベアラを変更する例示的なシステムを示す図。
【図７】[0024]  デバイスに、それのＱｏＥを改善するために１つまたは複数のアプリケーションに関係するベアラを変更させる例示的なシステムを示す図。
【図８】[0025]  一実施形態による多元接続ワイヤレス通信システムを示す図。
【図９】[0026]  通信システムのブロック図。
【発明を実施するための形態】
【００１９】
[0027]  次に、図面を参照しながら様々な態様について説明する。以下の説明では、説明のために、１つまたは複数の態様の完全な理解を与えるために多数の具体的な詳細を記載する。ただし、そのような（１つまたは複数の）態様は、これらの具体的な詳細なしに実施され得ることは明らかであろう。
【００２０】
[0028]  輻輳した無線アクセスネットワーク（ＲＡＮ）においてリソースの再配分を最適化するために、サービス品質（ＱｏＳ）使用およびポリシーを探求することと、それがユーザ機器（ＵＥ）におけるエクスペリエンス品質（ＱｏＥ）にどのようにリンクするかとに関係する様々な態様について、本明細書で説明する。ＵＥは、ＵＥにおいて動作しているいくつかのサービスについて一定のＱｏＥを達成するために、リソースの再配分においてＲＡＮを支援することができる。一例では、ＵＥは、コアネットワークによってサポートされるいくつかの品質制御インジケータ（ＱＣＩ）を使用するためにいくつかのアプリケーションをマッピングすることができ、コアネットワークでは、事業者ポリシーはそのことを可能にする。この例では、コアネットワークは、ＲＡＮにおける輻輳の場合にＵＥのどのアプリケーションがリソースを再配分されるべきかに関する指示を受信する。その上、この点について、（たとえば、ＵＥにおける、または場合によってはＲＡＮによって示される）輻輳が検出されると、ＵＥは、それに関係するアプリケーションについての特定のＱＣＩを使用してリソース変更を明示的に要求することができ、したがって、コアネットワークは、ＲＡＮ輻輳におけるＱｏＥを改善するためにリソースを変更することができる。
【００２１】
[0029]  本出願で使用する「構成要素」、「モジュール」、「システム」などの用語は、限定はしないが、ハードウェア、ファームウェア、ハードウェアとソフトウェアの組合せ、ソフトウェア、または実行中のソフトウェアなど、コンピュータ関連のエンティティを含むものとする。たとえば、構成要素は、限定はしないが、プロセッサ上で実行されるプロセス、プロセッサ、オブジェクト、実行ファイル、実行スレッド、プログラム、および／またはコンピュータであり得る。例として、コンピューティングデバイス上で実行されるアプリケーションと、そのコンピューティングデバイスの両方が構成要素であり得る。１つまたは複数の構成要素がプロセスおよび／または実行スレッド内に常駐することができ、１つの構成要素を１つのコンピュータ上に配置し、および／または２つ以上のコンピュータ間に分散することができる。さらに、これらの構成要素は、様々なデータ構造を記憶している様々なコンピュータ可読媒体から実行することができる。これらの構成要素は、ローカルシステム、分散型システム、および／または他のシステムを用いるインターネットなどのネットワーク中の別の構成要素と信号を介して対話する１つの構成要素からのデータなど、１つまたは複数のデータパケットを有する信号によるなどのローカルプロセスおよび／またはリモートプロセスを介して通信することができる。
【００２２】
[0030]  さらに、本明細書では、ワイヤード端末またはワイヤレス端末とすることができる端末に関する様々な態様について説明する。端末は、システム、デバイス、加入者ユニット、加入者局、移動局、モバイル、モバイルデバイス、リモート局、リモート端末、アクセス端末、ユーザ端末、端末、通信デバイス、ユーザエージェント、ユーザデバイス、ユーザ機器、またはユーザ機器デバイスと呼ばれることもある。ワイヤレス端末は、セルラー電話、衛星電話、コードレス電話、セッション開始プロトコル（ＳＩＰ）電話、ワイヤレスローカルループ（ＷＬＬ）局、携帯情報端末（ＰＤＡ）、ワイヤレス接続機能を有するハンドヘルドデバイス、コンピューティングデバイス、またはワイヤレスモデムに接続された他の処理デバイスであり得る。さらに、本明細書では基地局に関する様々な態様について説明する。基地局は、（１つまたは複数の）ワイヤレス端末と通信するために利用され得、アクセスポイント、アクセスノード、ノードＢ、発展型ノードＢ（ｅＮＢ）、または何らかの他の用語で呼ばれることもある。
【００２３】
[0031]  さらに、「または（or）」という用語は、排他的な「または」ではなく、包括的な「または」を意味するものとする。すなわち、別段に規定されていない限り、または文脈から明らかでない限り、「ＸはＡまたはＢを使用する」という句は、自然包括的並べ替えのいずれかを意味するものとする。つまり、「ＸはＡまたはＢを使用する」という句は、以下の場合、すなわち、ＸがＡを使用する場合、ＸがＢを使用する場合、またはＸがＡとＢの両方を使用する場合のうちのいずれかによって満足される。その上、本出願と添付の特許請求の範囲とで使用されるとき、冠詞「ａ」と「ａｎ」とは、別段に規定されていない限り、または単数形を対象とすべきであると文脈から明らかでない限り、通常、「１つまたは複数」を意味すると解釈されるべきである。
【００２４】
[0032]  本明細書で説明する技法は、ＣＤＭＡ、ＴＤＭＡ、ＦＤＭＡ、ＯＦＤＭＡ、ＳＣ−ＦＤＭＡおよび他のシステムなど、様々なワイヤレス通信システムに使用され得る。「システム」および「ネットワーク」という用語は、しばしば互換的に使用される。ＣＤＭＡシステムは、ユニバーサル地上波無線アクセス（ＵＴＲＡ：Universal Terrestrial Radio Access）、ｃｄｍａ２０００などの無線技術を実装し得る。ＵＴＲＡは、広帯域ＣＤＭＡ（Ｗ−ＣＤＭＡ（登録商標））およびＣＤＭＡの他の変形態を含む。さらに、ｃｄｍａ２０００は、ＩＳ−２０００、ＩＳ−９５およびＩＳ−８５６規格をカバーする。ＴＤＭＡシステムは、モバイル通信用グローバルシステム（ＧＳＭ（登録商標）：Global System for Mobile Communications）などの無線技術を実装し得る。ＯＦＤＭＡシステムは、発展型ＵＴＲＡ（Ｅ−ＵＴＲＡ：Evolved UTRA）、ウルトラモバイルブロードバンド（ＵＭＢ：Ultra Mobile Broadband）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭ（登録商標）などの無線技術を実装し得る。ＵＴＲＡおよびＥ−ＵＴＲＡは、ユニバーサルモバイルテレコミュニケーションシステム（ＵＭＴＳ：Universal Mobile Telecommunication System）の一部である。３ＧＰＰロングタームエボリューション（ＬＴＥ）は、Ｅ−ＵＴＲＡを使用するＵＭＴＳのリリースであり、これは、ダウンリンク上ではＯＦＤＭＡを採用し、アップリンク上ではＳＣ−ＦＤＭＡを採用する。ＵＴＲＡ、Ｅ−ＵＴＲＡ、ＵＭＴＳ、ＬＴＥおよびＧＳＭは、「第３世代パートナーシッププロジェクト」（３ＧＰＰ：3rd Generation Partnership Project）と称する団体からの文書に記載されている。さらに、ｃｄｍａ２０００およびＵＭＢは、「第３世代パートナーシッププロジェクト２」（３ＧＰＰ２：3rd Generation Partnership Project 2）と称する団体からの文書に記載されている。さらに、そのようなワイヤレス通信システムは、不対アンライセンススペクトル（unpaired unlicensed spectrums）、８０２．ｘｘワイヤレスＬＡＮ、ＢＬＵＥＴＯＯＴＨ（登録商標）および任意の他の短距離または長距離ワイヤレス通信技法をしばしば使用するピアツーピア（たとえば、モバイルツーモバイル）アドホックネットワークシステムをさらに含み得る。
【００２５】
[0033]  いくつかのデバイス、構成要素、モジュールなどを含むことができるシステムに関して、様々な態様または特徴を提示する。様々なシステムは、追加のデバイス、構成要素、モジュールなどを含むことができ、および／または各図に関連して論じるデバイス、構成要素、モジュールなどのすべてを含むとは限らないことを理解および諒解されたい。これらの手法の組合せも使用され得る。
【００２６】
[0034]  限定はしないが、例として、Ｗ−ＣＤＭＡエアインターフェースおよび／またはＣＤＭＡ２０００エアインターフェースを採用するＵＭＴＳシステム１００に関して、図１に示す本開示の態様を提示する。ＵＭＴＳネットワークは、３つの対話ドメイン、すなわち、コアネットワーク（ＣＮ）１０４と、ＵＭＴＳ地上波無線アクセスネットワーク（ＵＴＲＡＮ）１０２と、１つまたは複数のユーザ機器（ＵＥ）１１０とを含む。一例では、ＵＴＲＡＮ１０２は、電話、ビデオ、データ、メッセージング、ブロードキャストを含む様々なワイヤレスサービス、および／または他のサービスを提供する。ＵＴＲＡＮ１０２は、無線ネットワークコントローラ（ＲＮＣ：Radio Network Controller）１０６などのそれぞれのＲＮＣによって各々が制御される、無線ネットワークサブシステム（ＲＮＳ：Radio Network Subsystem）１０７などの複数のＲＮＳを含み得る。ここで、ＵＴＲＡＮ１０２は、本明細書に示すＲＮＣ１０６とＲＮＳ１０７とに加えて、任意の数のＲＮＣ１０６とＲＮＳ１０７とを含み得る。ＲＮＣ１０６は、特に、ＲＮＳ１０７内で無線リソースを割り当て、再構成し、解放することを担当する装置である。ＲＮＣ１０６は、任意の好適なトランスポートネットワークを使用して、直接物理接続、仮想ネットワークなど、様々なタイプのインターフェースを通してＵＴＲＡＮ１０２中の他のＲＮＣ（図示せず）と相互接続され得る。
【００２７】
[0035]  ＵＥ１１０とノードＢ１０８との間の通信は、物理（ＰＨＹ）レイヤと媒体アクセス制御（ＭＡＣ）レイヤとを含むものと見なされ得る。さらに、それぞれのノードＢ１０８を介したＵＥ１１０とＲＮＣ１０６との間の通信は、無線リソース制御（ＲＲＣ：radio resource control）レイヤを含むものと見なされ得る。本明細書では、ＰＨＹレイヤはレイヤ１と見なされ得、ＭＡＣレイヤはレイヤ２と見なされ得、ＲＲＣレイヤはレイヤ３と見なされ得る。以下の情報では、参照により本明細書に組み込まれる、ＲＲＣ  Ｐｒｏｔｏｃｏｌ  Ｓｐｅｃｉｆｉｃａｔｉｏｎ、３ＧＰＰ  ＴＳ２５．３３１  ｖ９．１．０において紹介されている用語を利用する。
【００２８】
[0036]  ＲＮＳ１０７によってカバーされる地理的領域は、いくつかのセルに分割され得、無線トランシーバ装置が各セルをサービスし得る。無線トランシーバ装置は、ＵＭＴＳ適用例では一般にノードＢと呼ばれるが、当業者によって、基地局（ＢＳ）、送受信基地局（ＢＴＳ：base transceiver station）、無線基地局、無線トランシーバ、トランシーバ機能、基本サービスセット（ＢＳＳ：basic service set）、拡張サービスセット（ＥＳＳ：extended service set）、アクセスポイント（ＡＰ）、または何らかの他の好適な用語でも呼ばれることがある。明快のために、各ＲＮＳ１０７中に３つのノードＢ１０８が示されているが、ＲＮＳ１０７は任意の数のワイヤレスノードＢを含み得る。ノードＢ１０８は、任意の数のモバイル装置にＣＮ１０４へのワイヤレスアクセスポイントを与える。モバイル装置の例には、セルラー電話、スマートフォン、セッション開始プロトコル（ＳＩＰ）電話、ラップトップ、ノートブック、ネットブック、スマートブック、携帯情報端末（ＰＤＡ）、衛星無線、全地球測位システム（ＧＰＳ）デバイス、マルチメディアデバイス、ビデオデバイス、デジタルオーディオプレーヤ（たとえば、ＭＰ３プレーヤ）、カメラ、ゲーム機、または任意の他の同様の機能デバイスがある。モバイル装置は、ＵＭＴＳ適用例では一般にＵＥと呼ばれるが、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、端末、ユーザエージェント、モバイルクライアント、クライアント、または何らかの他の好適な用語でも呼ばれることがある。説明のために、いくつかのノードＢ１０８と通信している１つのＵＥ１１０が示されている。順方向リンクとも呼ばれるＤＬは、ノードＢ１０８からＵＥ１１０への通信リンクを指し、逆方向リンクとも呼ばれるＵＬは、ＵＥ１１０からノードＢ１０８への通信リンクを指す。
【００２９】
[0037]  ＣＮ１０４は、ＵＴＲＡＮ１０２などの１つまたは複数のアクセスネットワークとインターフェースする。図示のように、ＣＮ１０４はＧＳＭコアネットワークである。ただし、当業者なら認識するように、本開示全体にわたって提示する様々な概念は、ＧＳＭネットワーク以外のタイプのＣＮへのアクセスをＵＥに与えるために、ＲＡＮ、または他の好適なアクセスネットワークにおいて実装され得る。
【００３０】
[0038]  ＣＮ１０４は、回線交換（ＣＳ）ドメインとパケット交換（ＰＳ）ドメインとを含む。回線交換要素のいくつかは、モバイルサービス交換センター（ＭＳＣ：Mobile services Switching Centre）１１２、ビジターロケーションレジスタ（ＶＬＲ：Visitor Location Register）、およびゲートウェイＭＳＣである。パケット交換要素は、サービングＧＰＲＳサポートノード（ＳＧＳＮ：Serving GPRS Support Node）と、ゲートウェイＧＰＲＳサポートノード（ＧＧＳＮ：Gateway GPRS Support Node）とを含む。ＥＩＲ、ＨＬＲ、ＶＬＲおよびＡｕＣのような、いくつかのネットワーク要素は、回線交換ドメインとパケット交換ドメインの両方によって共有され得る。図示の例では、ＣＮ１０４は、ＭＳＣ１１２およびＧＭＳＣ１１４を用いて、回線交換サービスをサポートする。いくつかの適用例では、ＧＭＳＣ１１４は、メディアゲートウェイ（ＭＧＷ）と呼ばれることがある。ＲＮＣ１０６などの１つまたは複数のＲＮＣはＭＳＣ１１２に接続され得る。ＭＳＣ１１２は、呼設定、呼ルーティング、およびＵＥモビリティ機能を制御する装置である。ＭＳＣ１１２はまた、ＵＥがＭＳＣ１１２のカバレージエリア中にある持続時間の間の加入者関係情報を含んでいるＶＬＲを含み得る。ＧＭＳＣ１１４は、ＵＥが回線交換ネットワーク１１６にアクセスするために、ＭＳＣ１１２を介したゲートウェイを与える。ＧＭＳＣ１１４は、特定のユーザが加入したサービスの詳細を反映するデータなどの加入者データを含んでいるホームロケーションレジスタ（ＨＬＲ：home location register）１１５を含む。また、ＨＬＲは、加入者固有の認証データを含んでいる認証センター（ＡｕＣ：authentication center）に関連付けられる。特定のＵＥのための呼が受信されると、ＧＭＳＣ１１４は、ＨＬＲ１１５に問い合わせてＵＥのロケーションを判断し、そのロケーションをサービスする特定のＭＳＣに呼をフォワーディングする。
【００３１】
[0039]  ＣＮ１０４は、サービング汎用パケット無線サービス（ＧＰＲＳ：General Packet Radio Service）サポートノード（ＳＧＳＮ）１１８およびゲートウェイＧＰＲＳサポートノード（ＧＧＳＮ）１２０を用いて、パケットデータサービスをもサポートする。ＧＰＲＳは、標準の回線交換データサービスで利用可能な速度よりも速い速度で、パケットデータサービスを提供するように設計されている。ＧＧＳＮ１２０は、パケットベースネットワーク１２２へのＵＴＲＡＮ１０２のための接続を与える。パケットベースネットワーク１２２は、インターネット、プライベートデータネットワーク、または何らかの他の好適なパケットベースネットワークであり得る。ＧＧＳＮ１２０の主要機能は、ＵＥ１１０にパケットベースネットワーク接続性を与えることである。データパケットは、ＳＧＳＮ１１８を通してＧＧＳＮ１２０とＵＥ１１０との間で転送され得、ＳＧＳＮ２１８は、主に、ＭＳＣ１１２が回線交換ドメインで実行するのと同じ機能をパケットベースドメインで実行する。
【００３２】
[0040]  ＵＭＴＳのためのエアインターフェースは、スペクトラム拡散直接シーケンス符号分割多元接続（ＤＳ−ＣＤＭＡ：Direct-Sequence Code Division Multiple Access）システムを利用し得る。スペクトラム拡散ＤＳ−ＣＤＭＡは、チップと呼ばれる擬似ランダムビットのシーケンスによる乗算によって、ユーザデータを拡散する。ＵＭＴＳのための「ワイドバンド」Ｗ−ＣＤＭＡエアインターフェースは、そのような直接シーケンススペクトラム拡散技術に基づいており、さらに周波数分割複信（ＦＤＤ）を必要とする。ＦＤＤは、ノードＢ１０８とＵＥ１１０との間のＵＬとＤＬとに対して異なるキャリア周波数を使用する。ＤＳ−ＣＤＭＡを利用し、時分割複信（ＴＤＤ）を使用する、ＵＭＴＳのための別のエアインターフェースは、ＴＤ−ＳＣＤＭＡエアインターフェースである。本明細書で説明する様々な例は、Ｗ−ＣＤＭＡエアインターフェースに言及することがあるが、基礎をなす原理は、ＴＤ−ＳＣＤＭＡエアインターフェースに等しく適用可能であり得ることを、当業者は認識されよう。
【００３３】
[0041]  図２を参照すると、ＲＡＮ輻輳制御においてリソースを再配分することを可能にするワイヤレス通信システム２００が示されている。システム２００は、ＲＡＮ２０４と通信するＵＥ２０２を含む。たとえば、ＵＥ２０２は、モバイル端末、モデム（または他のテザーデバイス）、あるいはＲＡＮの１つまたは複数の構成要素と通信することができる実質的に任意のデバイスを含むことができる。ＲＡＮ２０４は、ｅノードＢ（たとえば、ｅノードＢ１０８）、ＲＮＣ（たとえば、ＲＮＣ１０６）、ゲートウェイ（たとえば、ＧＭＳＣ１１４、ＧＧＳＮ１２０など）、ならびに／あるいは１つまたは複数のＵＥのために無線リソースを確立および変更することができる実質的に任意の構成要素または構成要素の集合など、ＲＡＮの１つまたは複数の構成要素を含むことができる。
【００３４】
[0042]  ＵＥ２０２は、ベアラ上でＲＡＮと通信するためにＱＣＩ２０７を１つまたは複数のアプリケーションに関連付けるためのＱＣＩ選択構成要素２０６と、ＲＡＮにおける高負荷（high load）（たとえば、しきい値と比較した負荷）または輻輳を検出するための高負荷検出構成要素２０８とを含む。ＵＥ２０２はまた、ＱｏＥの変化を検出することに部分的に基づいてＲＡＮにおけるリソースの変更を要求するためのリソース変更要求構成要素２１０と、リソース変更のための要求に基づいて１つまたは複数のベアラに対する変更を取得および実現するためのベアラ変更構成要素２１２とを含む。
【００３５】
[0043]  ＲＡＮ２０４は、特定のＱＣＩに関係する１つまたは複数のサポートされた輻輳ポリシー（congestion policy）を通信するための輻輳ポリシー指示構成要素２１４と、ＱＣＩのうちの１つまたは複数に基づいてＵＥからのリソースを変更するための要求を取得し、および／またはそれに応答するためのリソース変更構成要素２１６と、場合によってはＲＡＮ２０４における高負荷または輻輳を１つまたは複数のＵＥに示すための高負荷通知構成要素２１８とを含む。
【００３６】
[0044]  一例によれば、ＵＥ２０２は、ｅノードＢまたは他のアクセスポイントとの１つまたは複数の無線アクセスベアラ（ＲＡＢ）上でＲＡＮ２０４と通信することができる。たとえば、ＲＡＢは、データなどを通信するためのベストエフォート（ＢＥ：best effort）を使用して、保証ビットレート（ＧＢＲ：guaranteed bit rate）でデータを与えることに関係する特定のＱｏＳを有することができる。ＵＥは、いくつかのアプリケーションのためのデータを通信するためにベアラのうちの１つまたは複数を選択することができる。一例では、ＱＣＩ選択構成要素２０６は、ベアラ上でアプリケーションに関係するデータを通信するために各アプリケーションについてのＱＣＩ２０７を選択することができる。ＱＣＩ２０７は、アプリケーションについての品質の所望のレベル（たとえば、他のＱＣＩ２０７に対するＧＢＲ、品質または送信優先度など）に対応することができる。ＱＣＩ指示を受信すると、ＲＡＮ２０４は、ＱＣＩ２０７によって表される品質のレベルを達成するために、アプリケーションのためのデータをスロットリングすることができる。
【００３７】
[0045]  別の例では、輻輳ポリシー指示構成要素２１４は、１つまたは複数のポリシー２２０に関する情報をＵＥ２０２に通信することができる。１つまたは複数のポリシー２２０の情報は、いくつかのアプリケーションタイプなどについての許容できるＱＣＩ２０７、デフォルトＱＣＩ２０７などを含むことができる。一例では、１つまたは複数のポリシー２２０の情報は、ＱＣＩが特定のアプリケーションまたはデータのタイプに制限されることを示すことができる。その上、一例では、ポリシー２２０中で示されるＱＣＩは、所与のアプリケーションについての所望のＱｏＥに応じて、そのアプリケーションについてのデフォルトＱＣＩ２０７よりも多いか、またはそれよりも少なくなり得る。ＵＥ２０２は、（たとえば、ＲＡＮ２０４から関係する信号を受信するために受信機を使用して）ポリシーに関する情報を取得することができ、ＱＣＩ選択構成要素２０６は、ＲＡＮ２０４上でデータを通信するために、ポリシー２２０に基づいてアプリケーションについてのＱＣＩを選択する（あるいは１つまたは複数のポリシー２２０を選択する）ことができる。その上、ＱＣＩ選択構成要素２０６は、それの選択されたＱＣＩまたはポリシー２２０をＲＡＮ２０４に通知することができる。
【００３８】
[0046]  いずれの場合も、ＵＥ２０２は、ベアラ上でアプリケーションに関係するデータをＲＡＮ２０４と通信することができ、ＲＡＮ２０４は、選択されたＱＣＩまたはポリシー２２０に基づいてＵＥ２０２に対するアプリケーションについてのデータをスロットリングすることができる。一例では、本明細書でさらに説明するように、ＱＣＩ選択構成要素２０６は、初めに、他のアプリケーションのデータに勝る、あるアプリケーションのデータについての示された重要性またはデザイアビリティ（desirability）に対応する所望のＱＣＩ２０７を選択することができる。この例では、ＲＡＮ２０４構成要素のさらなる変更は、必要でないことがある。別の例では、説明したように、ＵＥ  ＱＣＩ選択構成要素２０６は、受信したポリシー２２０に基づいてＱＣＩ２０７を選択し、および／または利用されるべきＱＣＩ２０７を指定する１つまたは複数のポリシー２２０を選択することができる。
【００３９】
[0047]  ＲＡＮ２０４と通信している間、高負荷検出構成要素２０８は、ＲＡＮ２０４における輻輳を示す、ＲＡＮ２０４におけるしきい値を超えた負荷を判断することができる。一例では、高負荷検出構成要素２０８は、アプリケーションについてのスループットの減少、アプリケーションについてのＱｏＥの示された劣化、アプリケーションにおける失敗またはエラーメッセージなどを判断することに基づいて、高負荷を検出することができる。高負荷が検出されると、リソース変更要求構成要素２１０は、１つまたは複数のアプリケーションについてのＱｏＥの劣化を直すまたは緩和するためにリソース再配分を要求することができる。初期ＱＣＩ２０７が指定された場合、またはＱＣＩ２０７が場合によっては変更され得る場合、リソース変更要求構成要素２１０は、アプリケーションについての変更されたＱＣＩ２０７を示すことができ、それらは、ベアラの変更（たとえば、ベアラを追加または削除すること）、ベアラパラメータ（たとえば、ＱｏＳまたはそれの他のポリシー）に対する変更などを生じることができる。たとえば、リソース変更要求構成要素２１０は、１つまたは複数のアプリケーションについての所望のＱｏＥを取得するために、変更されたＱＣＩ２０７を示し続ける（たとえば、より高い所望のＱｏＥをもつアプリケーションについてのＱＣＩ２０７をステップアップする一方、より低い所望のＱｏＥをもつアプリケーションのＱＣＩ２０７をステップダウンする）ことができる。
【００４０】
[0048]  この例では、リソース変更構成要素２１６は、更新されたＱＣＩ２０７に従ってリソース再配分／ベアラ変更のための要求を取得することができ、したがってベアラ変更情報をＵＥ２０２に通信することができる。ベアラ変更情報は、更新されたＱＣＩ２０７を達成するために通信を変更することを可能にすることができ、ベアラ（たとえば、ＱｏＳまたは通信ポリシー）、確立されるべき追加のベアラ、削除されるべきベアラなどの１つまたは複数のパラメータの変更を含むことができる。ベアラ変更構成要素２１２は、ベアラ変更情報を取得することができ、それに応じて、適切な場合にＵＥ２０２においてベアラを変更することができる。たとえば、ベアラ変更構成要素２１２は、変更情報中で示される新しいベアラのためにベアラ確立プロシージャに参加することができる。
【００４１】
[0049]  一例では、高負荷検出構成要素２０８は、追加または代替として高負荷通知構成要素２１８から高負荷の通知を受信することに基づいて、ＲＡＮ２０４において高負荷を検出することができる。その指示は、概して、ＵＥ２０２とＲＡＮ２０４との間に確立される特定のベアラ上の高負荷、ＲＡＮ２０４における高負荷などに対応することができる。
【００４２】
[0050]  特定の一例では、ＵＥ２０２は、リモートソースならびにビデオ会議アプリケーションから大きいファイルを取得するためにファイル転送プロトコル（ＦＴＰ）アプリケーションを実行することができ、リモートソースならびにビデオ会議アプリケーションは両方とも、関係するデータを取得するためにＲＡＮ２０４との共通ベアラを使用することができる。ＱＣＩ選択構成要素２０６は、初めに（たとえば、所望のＱｏＥ、アプリケーション間の比較ＱｏＥ、ＲＡＮ２０４からの１つまたは複数のポリシー中で指定されたＱｏＥなどに基づいて）ＱＣＩ２０７を選択するか、または場合によってはＱＣＩ２０７をアプリケーションに割り当てることができる。これにより、ＲＡＮ２０４が輻輳するようになり始める多くの場合ＱｏＥの劣化を回避することができる。しかしながら、別の例では、ファイル転送およびビデオ会議中に、高負荷検出構成要素２０８は、ＲＡＮ２０４において、ビデオ会議におけるビデオ品質の検出された劣化、ファイル転送速度の減少、上記のことについてのユーザからの指示などの中に明らかにされ得る高負荷を検出することができる。
【００４３】
[0051]  この特定の例では、ＱＣＩ選択構成要素２０６は、ビデオ会議アプリケーションのＱｏＥを改善するために、（これが、ＱｏＥの観点から、より望まれるアプリケーションである可能性が高いので）ＦＴＰアプリケーションおよび／またはビデオ会議アプリケーションのために前に選択されたＱＣＩ２０７を変更することができる。一例では、ＱＣＩ選択構成要素２０６は、一方のアプリケーションを他方よりも選好することを示すことができる、ＵＥ２０２における示されたユーザ選好またはＲＡＮ２０４からのサブスクリプションデータ、アプリケーション間の選好の程度、最も重要なものとしてのあるアプリケーションの指定、あるいは所望のＱｏＥの他の指示に基づいて新しいＱＣＩ２０７を選択することができる。さらに、ＱＣＩ選択構成要素２０６は、ＲＡＮ２０４におけるリソース利用可能性の分散についての許容差に基づいてＱＣＩ２０７を選択することができる（たとえば、ストリーミングアプリケーションは、概して、要求／応答アプリケーションよりも高いＱＣＩ２０７を使用することができる）。別の例では、ＱＣＩ選択構成要素２０６は、ＲＡＮ２０４によって示される１つまたは複数の他のポリシー２２０に従ってＱＣＩ２０７を選択することができる。いずれの場合も、リソース変更要求構成要素２１０は、特定用途向けデータのために新しいＱＣＩ２０７を指定することができるリソース変更要求をＲＡＮ２０４に通信することができる。したがって、リソース変更構成要素２１６は、ＱｏＥに従ってベアラを変更することができる。一例では、これは、ＦＴＰデータに対応するベアラを制限しながら、ビデオアプリケーションのためのトラフィックを処理するために新しいベアラを確立することを含むことができる。リソース変更構成要素２１６はリソース変更をＵＥ２０２に通信することができ、ベアラ変更構成要素２１２は、説明したように、変更を処理するためにＵＥ２０２固有の行為を実行することができる。
【００４４】
[0052]  一例では、高負荷検出構成要素２０８において高負荷を検出するための説明する機能は、高負荷を検出するためのそのような機構を向上させるために、品質プロファイルに従ってアプリケーションを分類すること、ＲＡＮに対する品質パラメータ変更をアクティブに要求すること、劣化に関してＲＡＮに暗黙的または明示的に通知することなど、他の機構と組み合わされ得る。同様に、高負荷通知構成要素２１８は、たとえば、ネットワーク側でのより深い複雑な調査のトリガリング、ユーザのためのポリシーの変更ならびにサービス品質の一般的な変更をトリガすることなどを可能にする、ＲＡＮ輻輳に関する情報を追加するために、ポリシーエンジンおよび制御機能、ディープパケット検査機能などの他の機構を向上させることができる。
【００４５】
[0053]  別の例では、リソース変更要求構成要素２１０は、ＲＡＮ２０４がディープパケット検査（ＤＰＩ：deep packet inspection）を採用するリソース変更を明示的に要求する必要がないことがある。この例では、ＲＡＮ２０４は、ＲＡＮ２０４において高負荷を判断するときに、示されたＱＣＩ２０７に従った１つまたは複数のベアラ上での送信のためにいくつかのアプリケーションに関係するパケットに優先度を付けることができる。
【００４６】
[0054]  次に図３を参照すると、ＵＥにおいてＱｏＥを改善することを可能にする例示的なワイヤレス通信システム３００が示されている。システム３００は、説明したように、ＲＡＮ２０４と通信するＵＥ２０２を含むことができる。ＲＡＮ２０４は、説明したように、輻輳した状態になることがあり、したがって、ＵＥ２０２において起こり得るＱｏＥ劣化を含めようとして一部のアプリケーショントラフィックをスロットリングすることが望ましいことがある。ＲＡＮ２０４における負荷が増加し、輻輳するようになると、ＵＥ２０２が、ＲＡＮ２０４との通信を可能にするリソースのために受信するスケジューリングスロットが少なくなり得、それにより、遅延と起こり得るフレーム損失とによって引き起こされるＱｏＥ劣化の知覚を生じることがある。しかしながら、関係するベアラについてのＱｏＳは、ＲＡＮ２０４がＱｏＥの損失を実現しないことがあるので依然として達成され得、したがって、ＵＥ２０２は、ＲＡＮ２０４にＱｏＥ劣化を通知するか、または場合によってはＲＡＮ２０４がアプリケーションごとに劣化を改善するのを支援することができる。
【００４７】
[0055]  一例では、ＲＡＮ２０４は、３０６において、輻輳ポリシー（congestion policies）をＵＥ２０２に通信する。輻輳ポリシーは、いくつかのアプリケーションのために利用可能なＱＣＩの指示、それらのアプリケーションについてのデフォルトＱＣＩ２０７設定などを含むことができる。ＵＥ２０２は、３０８において、指定されたＱＣＩを使用してデフォルトベアラ上でＦＴＰおよびビデオ会議トラフィックをＲＡＮ２０４と通信することができる。他の例で説明するように、ＵＥ２０２は、ＵＥ２０２におけるユーザ入力に基づいていくつかのアプリケーションについての示された望ましいＱｏＥに基づいてＱＣＩを選択することができる。これにより、多くの場合、ＱｏＥに影響を及ぼすネットワーク輻輳を回避し得る。しかしながら、場合によっては、依然として高負荷が検出され得、３１０において、高負荷は、ビデオ会議ＱｏＥ劣化中で明らかにされて検出され得る。説明したように、これは、スループットの減少、ビデオレンダリング品質の劣化、ＵＥ２０２におけるユーザ入力からの指示などを検出することを含むことができる。その上、一例では、高負荷指示３１２がＲＡＮ２０４から受信され得る。したがって、ＲＡＮ２０４は、条件付きデータレートまたは同様のメトリックに基づいて高負荷を検出し、したがって、指示３１２をＵＥ２０２に送信することができる。
【００４８】
[0056]  検出された高負荷および／またはＱｏＥ劣化に基づいて、ＵＥ２０２は、３１４において、ＲＡＮ２０４へのリソース変更要求を開始することができる。たとえば、３１４におけるリソース変更要求は、１つまたは複数のアプリケーションまたは他のアプリケーションにおいてＱｏＥの改善を実現するために、１つまたは複数のアプリケーションについての変更されたＱＣＩを示すことができる。この例で示すように、３１４におけるリソース変更要求は、ＦＴＰトラフィックフローテンプレート（ＴＦＴ：traffic flow template）についての更新されたＱＣＩを指定する。更新されたＱＣＩは、たとえば、ＦＴＰアプリケーションのためのより少ないスループットを生じることができ、したがって、ＲＡＮ２０４は、可能にされるＦＴＰトラフィックを減少させることと、ビデオ会議アプリケーションのためのトラフィックを選好することとによって更新されたＱＣＩを適用することができ、ビデオ会議アプリケーションは、アプリケーションに関連付けられたベアラを変更することによって可能にされ得る。したがって、ＲＡＮ２０４は、ＵＥ２０２とともにベアラ変更／確立プロシージャ３１６を実行することができる。これは、ＱＣＩに基づいて、ＦＴＰトラフィックの代わりにより多くのビデオ会議トラフィックを搬送するために既存のベアラを変更すること、追加のビデオ会議トラフィックをサポートするためにベアラを追加すること、ＦＴＰトラフィックに関連付けられたベアラを削除することなどを含むことができる。
【００４９】
[0057]  場合によっては、３１８において、ＲＡＮ輻輳トリガリングポリシーまたはＤＰＩアクティブ化は、検出された高負荷に基づいて採用され得る。たとえば、ＤＰＩを使用して、ＲＡＮ２０４は、より低いＱｏＥが許容可能であるアプリケーションよりも、より高いＱｏＥが望まれるアプリケーションに関係するパケットを選好するためにパケットを検査することができる。これは、好適なアプリケーションに関してＵＥ２０２によって示される情報、ＲＡＮ２０４におけるデフォルト情報、ＵＥ２０２のためのサブスクリプション情報などに基づくことができる。
【００５０】
[0058]  図４〜図５を参照すると、ＲＡＮ輻輳中にアプリケーションについてのＱｏＥを改善するための例示的な方法が示されている。説明を簡単にするために、方法を一連の行為として図示し説明するが、いくつかの行為は、１つまたは複数の実施形態によれば、本明細書で図示し説明する順序とは異なる順序で、および／または他の行為と同時に行われるので、方法は行為の順序によって限定されないことを理解および諒解されたい。たとえば、方法は、状態図など、一連の相互に関係する状態またはイベントとして代替的に表現され得ることを諒解されたい。さらに、１つまたは複数の実施形態による方法を実施するために、図示のすべての行為が必要とされるとは限らない。
【００５１】
[0059]  図４を参照すると、ＲＡＮ輻輳において１つまたは複数のアプリケーションのＱｏＥを改善するためにベアラを変更することを可能にする例示的な方法４００が示されている。
【００５２】
[0060]  随意の態様（optional aspect）では、４０２において、ＲＡＮから、利用可能なＱＣＩを示す輻輳ポリシー情報（congestion policy information）を受信する。
【００５３】
[0061]  さらに、そのような随意の態様では、４０４において、いくつかのアプリケーションについてのデフォルトＱＣＩ、ＵＥのためのサブスクリプション情報中で示されるＱＣＩなどを指定する、ＲＡＮから受信された１つまたは複数のポリシーに基づいてＱＣＩを選択する。
【００５４】
[0062]  別の随意の態様では、４０６において、（たとえば、１つまたは複数のアプリケーションについてのＱｏＥの劣化を検出することに基づいて）ＲＡＮにおける高負荷を検出する。一態様では、高負荷は、しきい値を下回る少なくとも１つのアプリケーションについてのデータレートを判断することによって検出され得る。別の態様では、高負荷は、ユーザまたはアプリケーション入力から劣化の指示を受信することによって検出され得る。
【００５５】
[0063]  ４０８において、ベアラ上でＲＡＮと通信する複数のアプリケーションの各々についてのＱＣＩを示す。ＱＣＩは、ＲＡＮ輻輳中に所望のＱｏＥを達成するために指定され得、たとえば、ビデオ会議、リモートオーディオ再生などのアプリケーション、現在利用されているアプリケーションなどは、ＦＴＰファイル転送、通信通知システムなどのアプリケーションよりも高いＱＣＩを有することができる。一態様では、ＱＣＩは、いくつかのアプリケーションについてのいくつかのＱｏＥ、複数のアプリケーションについての比較ＱｏＥ（たとえば、ＦＴＰ転送よりもビデオ会議に対する選好を示すＱｏＥ）などを達成することに関係するユーザ指定ポリシーに従って示され得る。この例では、ＱＣＩは、ＲＡＮにおける検出された高負荷に基づいて示され得る。
【００５６】
[0064]  ４１０において、ＱＣＩに基づいて、ベアラまたは追加のベアラの変更に関する情報を受信する。この情報は、改善されたＱＣＩについての追加のトラフィックを処理するために、またはより小さいＱＣＩについてのトラフィックを低減するためにベアラを変更すること、増加したＱＣＩをもつアプリケーションのためのベアラを追加すること、より小さいＱＣＩをもつアプリケーションのためのベアラを削除することなどを行うように指定することができる。その情報は、示されたＱＣＩに応答してＲＡＮから受信され得る。アプリケーションについてのＱＣＩは、ＲＡＮを用いて前に初期化され得、４０８において示されたＱＣＩは、その上でアプリケーションに関係するトラフィックが通信される対応するリソースの変更を実現するように、ＱＣＩを変更することを諒解されたい。
【００５７】
[0065]  ４１２において、複数のアプリケーションのうちの少なくとも１つについての所望のＱｏＥを達成するために情報に従ってベアラまたは追加のベアラを変更する。たとえば、その情報に従って、ＱＣＩに基づいて増加または減少したトラフィックを処理するために１つまたは複数のベアラに変更、追加、削除などを行うためのプロシージャがＲＡＮを用いて初期化され得る。
【００５８】
[0066]  図５を参照すると、ＵＥ上で動作している１つまたは複数のアプリケーションについてのＱｏＥを達成するための例示的な方法５００が示されている。
【００５９】
[0067]  ５０２において、ＵＥから、ベアラに関係する複数のアプリケーションの各々についてのＱＣＩを受信する。ＱＣＩは、ＲＡＮが輻輳するようになると、アプリケーションについての所望のＱｏＥを達成することを示すことができる（たとえば、より大きいＱｏＥが望まれるアプリケーション、または品質がスループットの減少に対してより耐性がないアプリケーションのためのデータは、より高いＱＣＩを与えられ得る）。
【００６０】
[0068]  ５０４において、ＵＥにおけるＱｏＥを改善するために複数のアプリケーションの各々についてのＱＣＩに基づいて、ＵＥと通信するためのベアラまたは追加のベアラを変更する。これは、ベアラのためのパラメータを変更すること、増加したＱＣＩをもつアプリケーションのトラフィックを処理するために追加のベアラを確立するためのベアラ確立プロシージャをＵＥとともに初期化すること、減少したＱＣＩをもつアプリケーションのためのベアラを削除することなどを含むことができる。
【００６１】
[0069]  随意の態様では、５０６において、１つまたは複数の輻輳制御ポリシーをＵＥに通信する。そのような態様では、１つまたは複数の輻輳制御ポリシーは複数の利用可能なＱＣＩを示し得る。
【００６２】
[0070]  別の随意の態様では、５０８において、ＵＥに高負荷を示す。そのような態様では、複数のアプリケーションの各々についてのＱＣＩは、高負荷に応答して受信され得る。
【００６３】
[0071]  本明細書で説明する１つまたは複数の態様によれば、説明したように、ＱｏＥを達成するために示されたＱＣＩについてのベアラ構成を判断することなどに関する推測が行われ得ることを諒解されよう。
【００６４】
[0072]  本明細書で使用する「推論する（infer）」または「推論（inference）」という用語は、概して、イベントおよび／またはデータを介して捕捉された観察のセットから、システム、環境、および／またはユーザの状態について推理するまたは推論するプロセスを指す。推論は、特定のコンテキストまたはアクションを識別するために採用され得、あるいは、たとえば、状態の確率分布を生成することができる。推論は、確率的、すなわち、データおよびイベントの考察に基づく当該の状態の確率分布の計算であり得る。推論は、イベントおよび／またはデータのセットからより高いレベルのイベントを構成するために採用される技法を指すこともある。そのような推論から、  イベントが時間的に緊切して相関するか否かにかかわらず、ならびにイベントおよびデータが１つまたは複数のイベントおよびデータの発生源に由来するかどうかにかかわらず、観測されたイベントおよび／または記憶されたイベントデータのセットから新しいイベントまたはアクションが構成される。
【００６５】
[0073]  次に図６を参照すると、ＲＡＮ輻輳におけるアプリケーションについてのＱｏＥを改善するための例示的なシステム６００が表示されている。たとえば、システム６００は、少なくとも部分的にデバイス内に常駐することができる。システム６００は機能ブロックを含むものとして表されており、その機能ブロックは、プロセッサ、ソフトウェア、またはそれらの組合せ（たとえば、ファームウェア）によって実装される機能を表す機能ブロックであり得ることを諒解されたい。システム６００は、連携して動作することができる電気構成要素の論理グルーピング６０２を含む。たとえば、論理グルーピング６０２は、ベアラ上でＲＡＮと通信する複数のアプリケーションの各々についてのＱＣＩを示すための電気的構成要素６０４を含むことができる。説明したように、これは、それぞれの１つのアプリケーションのＱｏＥに対する選好を他のアプリケーションに示すために、デバイスにおいて生成すること、ＲＡＮから受信することなどが行われるポリシーに基づくことができる。さらに、電気的構成要素６０４は、説明したように、ＲＡＮにおいて高負荷を検出することに基づいてＱＣＩを示すことができる。
【００６６】
[0074]  その上、論理グルーピング６０２は、ＱＣＩに基づいてベアラまたは追加のベアラの変更に関する情報を受信するための電気的構成要素６０６を含むことができる。この情報は、１つまたは複数のベアラに変更、追加、削除などを行うように示すことができる。論理グルーピング６０２はまた、複数のアプリケーションのうちの少なくとも１つについての所望のＱｏＥを達成するために情報に従ってベアラまたは追加のベアラを変更するための電気的構成要素６０８を含むことができる。
【００６７】
[0075]  その上、一例では、電気的構成要素６０４はＱＣＩ選択構成要素１０６を備えることができ、電気的構成要素６０６はリソース変更要求構成要素１１０を備えることができ、電気的構成要素６０８はベアラ変更構成要素１１２を備えることができ、以下同様である。さらに、システム６００は、電気的構成要素６０４、６０６、および６０８に関連する機能を実行するための命令を保持し、電気的構成要素６０４、６０６、および６０８などによって使用または取得されたデータを記憶する、メモリ６１０を含むことができる。メモリ６１０の外部にあるものとして示されているが、電気的構成要素６０４、６０６、および６０８のうちの１つまたは複数は、メモリ６１０の内部に存在することができることを理解されたい。一例では、電気的構成要素６０４、６０６、および６０８は、処理システムを備えることができるか、または、各電気的構成要素６０４、６０６、および６０８は、処理システムの対応するモジュールであり得る。その上、追加または代替の例では、電気的構成要素６０４、６０６、および６０８は、コンピュータ可読媒体を含むコンピュータプログラム製品であり得、各電気的構成要素６０４、６０６、および６０８は、対応するコードであり得る。
【００６８】
[0076]  次に図７を参照すると、ＵＥにおいて１つまたは複数のアプリケーションについてのＱｏＥを改善するための例示的なシステム７００が表示されている。たとえば、システム７００は、少なくとも部分的にネットワーク構成要素内に常駐することができる。システム７００は機能ブロックを含むものとして表されており、その機能ブロックは、プロセッサ、ソフトウェア、またはそれらの組合せ（たとえば、ファームウェア）によって実装される機能を表す機能ブロックであり得ることを諒解されたい。システム７００は、連携して動作することができる電気構成要素の論理グルーピング７０２を含む。たとえば、論理グルーピング７０２は、ＵＥから、ベアラに関係する複数のアプリケーションの各々についてのＱＣＩを受信するための電気的構成要素７０４を含むことができる。ＱＣＩは、１つまたは複数のアプリケーションについての所望のＱｏＥを達成するために前のＱＣＩから変更され得る。
【００６９】
[0077]  その上、論理グルーピング７０２は、ＵＥにおけるＱｏＥを改善するために複数のアプリケーションの各々についてのＱＣＩに基づいて、ＵＥと通信するためにベアラを変更するか、または追加のベアラを追加するための電気的構成要素７０６を含むことができる。その上、電気的構成要素７０４および７０６は、一例では、リソース変更構成要素１１６などを備えることができる。
【００７０】
[0078]  さらに、システム７００は、電気的構成要素７０４および７０６に関連する機能を実行するための命令を保持し、電気的構成要素７０４および７０６などによって使用または取得されたデータを記憶する、メモリ７０８を含むことができる。メモリ７０８の外部にあるものとして示されているが、電気的構成要素７０４および７０６のうちの１つまたは複数は、メモリ７０８の内部に存在することができることを理解されたい。一例では、電気的構成要素７０４および７０６は、処理システムを備えることができるか、または各電気的構成要素７０４および７０６は、処理システムの対応するモジュールであり得る。その上、追加または代替例では、電気的構成要素７０４および７０６は、コンピュータ可読媒体を含むコンピュータプログラム製品であり得、各電気的構成要素７０４および７０６は、対応するコードであり得る。
【００７１】
[0079]  図８を参照すると、一実施形態による多元接続ワイヤレス通信システムが示されている。アクセスポイント８００（ＡＰ）は複数のアンテナグループを含み、あるアンテナグループは８０４と８０６とを含み、別のアンテナグループは８０８と８７とを含み、追加のアンテナグループは８１２と８１４とを含む。図８では、アンテナグループごとに２つのアンテナのみが示されているが、アンテナグループごとにより多いまたはより少ないアンテナが利用され得る。アクセス端末８１６（ＡＴ）はアンテナ８１２および８１４と通信しており、アンテナ８１２および８１４は、順方向リンク８２０上でアクセス端末８１６に情報を送信し、逆方向リンク８１８上でアクセス端末８１６から情報を受信する。アクセス端末８２２はアンテナ８０４および８０６と通信しており、アンテナ８０４および８０６は、順方向リンク８２６上でアクセス端末８２２に情報を送信し、逆方向リンク８２４上でアクセス端末８２２から情報を受信する。ＦＤＤシステムでは、通信リンク８１８、８２０、８２４および８２６は、通信のための異なる周波数を使用することができる。たとえば、順方向リンク８２０は、逆方向リンク８１８によって使用される周波数とは異なる周波数を使用することができる。
【００７２】
[0080]  アンテナの各グループ、および／またはアンテナが通信するように設計されたエリアは、しばしば、アクセスポイントのセクタと呼ばれる。本実施形態では、アンテナグループはそれぞれ、アクセスポイント８００によってカバーされるエリアのセクタ中でアクセス端末に通信するように設計される。
【００７３】
[0081]  順方向リンク８２０および８２６上の通信では、アクセスポイント８００の送信アンテナは、異なるアクセス端末８１６および８２２に対して順方向リンクの信号対雑音比を改善するためにビームフォーミングを利用する。また、アクセスポイントが、ビームフォーミングを使用して、それのカバレージ中にランダムに分散されたアクセス端末に送信するほうが、アクセスポイントが単一のアンテナを介してすべてのそれのアクセス端末に送信するよりも、近隣セル中のアクセス端末への干渉が小さくなる。
【００７４】
[0082]  その上、アクセス端末８１６および８２２は、上記で説明したように、１つまたは複数のアプリケーションのＱｏＥを改善するための機能を与えることができる。
【００７５】
[0083]  図９は、ＭＩＭＯシステム９００における送信機システム９１０（アクセスポイントとしても知られる）および受信機システム９５０（アクセス端末としても知られる）の実施形態のブロック図である。送信機システム９１０において、いくつかのデータストリームのトラフィックデータがデータソース９１２から送信（ＴＸ）データプロセッサ９１４に与えられる。さらに、送信機システム９１０および／または受信機システム９５０は、それらの間のワイヤレス通信を可能にするために、本明細書で説明するシステム（図２、図３、および図６〜図８）および／または方法（図４および図５）を採用することができることを諒解されたい。たとえば、本明細書で説明するシステムおよび／または方法の構成要素または機能は、以下で説明するメモリ９３２および／または９７２あるいはプロセッサ９３０および／または９７０の一部であり得、ならびに／あるいは開示する機能を実行するためにプロセッサ９３０および／または９７０によって実行され得る。
【００７６】
[0084]  一実施形態では、各データストリームは、それぞれの送信アンテナを介して送信される。ＴＸデータプロセッサ９１４は、各データストリームのトラフィックデータを、そのデータストリーム用に選択された特定のコーディング方式に基づいてフォーマットし、コーディングし、インターリーブして、コード化データを与える。
【００７７】
[0085]  各データストリームのコード化データは、ＯＦＤＭ技法を使用してパイロットデータで多重化され得る。パイロットデータは、典型的には、知られている方法で処理され、チャネル応答を推定するために受信機システムにおいて使用され得る、知られているデータパターンである。各データストリームの多重化されたパイロットデータおよびコード化データは、次いで、そのデータストリーム用に選択された特定の変調方式（たとえば、ＢＰＳＫ、ＱＳＰＫ、Ｍ−ＰＳＫ、またはＭ−ＱＡＭ）に基づいて変調（たとえば、シンボルマッピング）されて、変調シンボルが与えられる。各データストリームのデータレート、コーディング、および変調は、プロセッサ９３０によって実行される命令によって判断され得る。
【００７８】
[0086]  次いで、すべてのデータストリームの変調シンボルがＴＸ  ＭＩＭＯプロセッサ９２０に与えられ、ＴＸ  ＭＩＭＯプロセッサ９２０はさらに（たとえば、ＯＦＤＭ用に）その変調シンボルを処理することができる。ＴＸ  ＭＩＭＯプロセッサ９２０は、次いで、ＮT個の変調シンボルストリームをＮT個の送信機（ＴＭＴＲ）９２２ａ〜９２２ｔに与える。いくつかの実施形態では、ＴＸ  ＭＩＭＯプロセッサ９２０は、データストリームのシンボルと、シンボルの送信元のアンテナとにビームフォーミング重みを適用する。
【００７９】
[0087]  各送信機９２２は、それぞれのシンボルストリームを受信し、処理して、１つまたは複数のアナログ信号を与え、さらに、それらのアナログ信号を調整（たとえば、増幅、フィルタ処理、およびアップコンバート）して、ＭＩＭＯチャネルを介して送信するのに適した変調信号を与える。送信機９２２ａ〜９２２ｔからのＮT個の被変調信号は、次いで、それぞれＮT個のアンテナ９２４ａ〜９２４ｔから送信される。
【００８０】
[0088]  受信機システム９５０では、送信された被変調信号はＮR個のアンテナ９５２ａ〜９５２ｒによって受信され、各アンテナ９５２からの受信信号は、それぞれの受信機（ＲＣＶＲ）９５４ａ〜９５４ｒに与えられる。各受信機９５４は、それぞれの受信信号を調整（たとえば、フィルタ処理、増幅、およびダウンコンバート）し、調整された信号をデジタル化して、サンプルを与え、さらにそれらのサンプルを処理して、対応する「受信」シンボルストリームを与える。
【００８１】
[0089]  次いで、ＲＸデータプロセッサ９６０が、ＮR個の受信機９５４からＮR個の受信シンボルストリームを受信し、特定の受信機処理技法に基づいて処理して、ＮT個の「検出」シンボルストリームを与える。ＲＸデータプロセッサ９６０は、次いで、各検出シンボルストリームを復調し、デインターリーブし、復号して、データストリームのトラフィックデータを復元する。ＲＸデータプロセッサ９６０による処理は、送信機システム９１０におけるＴＸ  ＭＩＭＯプロセッサ９２０およびＴＸデータプロセッサ９１４によって実行される処理に対して相補的である。
【００８２】
[0090]  プロセッサ９７０は、どのプリコーディング行列を使用すべきかを定期的に判断する。プロセッサ９７０は、行列インデックス部分とランク値部分とを備える逆方向リンクメッセージを作成する。
【００８３】
[0091]  逆方向リンクメッセージは、通信リンクおよび／または受信データストリームに関する様々なタイプの情報を備えることができる。次いで、逆方向リンクメッセージは、データソース９３６からいくつかのデータストリームのトラフィックデータをも受信するＴＸデータプロセッサ９３８によって処理され、変調器９８０によって変調され、送信機９５４ａ〜９５４ｒによって調整され、送信機システム９１０に戻される。
【００８４】
[0092]  送信機システム９１０において、受信機システム９５０からの被変調信号は、アンテナ９２４によって受信され、受信機９２２によって調整され、復調器９４０によって復調され、ＲＸデータプロセッサ９４２によって処理されて、受信機システム９５０によって送信された逆方向リンクメッセージが抽出される。次いで、プロセッサ９３０は、ビームフォーミング重みを判断するためにどのプリコーディング行列を使用すべきかを判断し、次いで、抽出されたメッセージを処理する。
【００８５】
[0093]  プロセッサ９３０および９７０は、それぞれ送信機システム９１０および受信機システム９５０における動作を指示（たとえば、制御、調整、管理など）することができる。それぞれのプロセッサ９３０および９７０は、プログラムコードおよびデータを記憶するメモリ９３２および９７２に関連付けられ得る。たとえば、プロセッサ９３０および９７０は、ＵＥにおいてアプリケーションについてのＱｏＥを改善することに関して本明細書で説明する機能を実行することができ、および／または対応する構成要素のうちの１つまたは複数を動作させることができる。同様に、メモリ９３２および９７２は、機能または構成要素を実行するための命令、および／あるいは関係するデータを記憶することができる。
【００８６】
[0094]  本明細書で開示した実施形態に関して説明した様々な例示的なロジック、論理ブロック、モジュール、構成要素、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタロジック、個別ハードウェア構成要素、あるいは本明細書で説明した機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、または任意の他のそのような構成として実装され得る。さらに、処理システムは、上記で説明したステップおよび／またはアクションのうちの１つまたは複数を実行するように動作可能な１つまたは複数のモジュールを備え得る。例示的な記憶媒体は、プロセッサが記憶媒体から情報を読み取り、記憶媒体に情報を書き込むことができるようにプロセッサに結合され得る。代替として、記憶媒体はプロセッサに一体化され得る。さらに、いくつかの態様では、プロセッサおよび記憶媒体はＡＳＩＣ中に常駐し得る。さらに、ＡＳＩＣはユーザ端末中に常駐し得る。代替として、プロセッサおよび記憶媒体は、ユーザ端末中に個別構成要素として常駐し得る。
【００８７】
[0095]  １つまたは複数の態様では、説明した機能、方法またはアルゴリズムは、ハードウェア、ソフトウェア、ファームウェア、またはそれらの任意の組合せで実装され得る。ソフトウェアで実装する場合、機能は、１つまたは複数の命令またはコードとして、コンピュータプログラム製品に組み込まれ得る、コンピュータ可読媒体上に記憶されるか、あるいはコンピュータ可読媒体上で送信され得る。コンピュータ可読媒体は、ある場所から別の場所へのコンピュータプログラムの転送を可能にする任意の媒体を含む、コンピュータ記憶媒体とコンピュータ通信媒体の両方を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ（登録商標）、ＣＤ−ＲＯＭまたは他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備えることができる。また、実質的にいかなる接続もコンピュータ可読媒体と呼ばれ得る。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザディスク（disc）、光ディスク（disc）、デジタル多用途ディスク（disc）（ＤＶＤ）、フロッピー（登録商標）ディスク（disk）およびｂｌｕ−ｒａｙ（登録商標）ディスク（disc）を含み、ディスク（disk）は、通常、データを磁気的に再生し、ディスク（disc）は、通常、データをレーザで光学的に再生する。上記の組合せもコンピュータ可読媒体の範囲内に含めるべきである。
【００８８】
[0096]  上記の開示は、例示的な態様および／または実施形態について論じたが、添付の特許請求の範囲によって定義された説明した態様および／または実施形態の範囲から逸脱することなく、様々な変更および改変を本明細書で行うことができることに留意されたい。さらに、説明した態様および／または実施形態の要素は、単数形で説明または請求されていることがあるが、単数形への限定が明示的に述べられていない限り、複数形が企図される。さらに、任意の態様および／または実施形態の全部または一部は、別段の規定がない限り、任意の他の態様および／または実施形態の全部または一部とともに利用され得る。
以下に、本願出願の当初の特許請求の範囲に記載された発明を付記する。
［Ｃ１］
無線アクセスネットワーク（ＲＡＮ）輻輳におけるエクスペリエンス品質（ＱｏＥ）を改善するための方法であって、
ベアラ上でＲＡＮと通信する複数のアプリケーションの各々についての品質制御インジケータ（ＱＣＩ）を示すことと、
前記ＱＣＩに基づいて前記ベアラまたは追加のベアラの変更に関する情報を受信することと、
前記複数のアプリケーションのうちの少なくとも１つについての所望のＱｏＥを達成するために前記情報に従って前記ベアラまたは追加のベアラを変更することとを備える、方法。
［Ｃ２］
前記ＲＡＮから、利用可能なＱＣＩを示す輻輳ポリシー情報を受信することと、
前記利用可能なＱＣＩから前記複数のアプリケーションの各々についての前記ＱＣＩを選択することとをさらに備える、Ｃ１に記載の方法。
［Ｃ３］
前記ＲＡＮにおいて高負荷を検出することであって、前記複数のアプリケーションの各々についての前記ＱＣＩを前記示すことが、前記高負荷を前記検出することに部分的に基づく、検出することをさらに備える、Ｃ１に記載の方法。
［Ｃ４］
前記高負荷を前記検出することが、前記複数のアプリケーションのうちの少なくとも１つのアプリケーションについてのＱｏＥの劣化を検出することを備える、Ｃ３に記載の方法。
［Ｃ５］
ＱｏＥの前記劣化を前記検出することが、しきい値を下回る少なくとも１つのアプリケーションについてのデータレートを判断すること、あるいはユーザまたはアプリケーション入力から前記劣化の指示を受信することを備える、Ｃ４に記載の方法。
［Ｃ６］
前記示すことが、前記少なくとも１つのアプリケーションにおけるＱｏＥを改善するために、前記複数のアプリケーションのうちの少なくとも別のアプリケーションについてよりも前記少なくとも１つのアプリケーションについて高いＱＣＩを示すことを備える、Ｃ４に記載の方法。
［Ｃ７］
前記高負荷を前記検出することが、前記ＲＡＮから前記高負荷の指示を受信することを備える、Ｃ３に記載の方法。
［Ｃ８］
前記複数のアプリケーションの各々についての前記ＱＣＩを初期化することであって、前記複数のアプリケーションの各々についての前記ＱＣＩを前記示すことが、前記高負荷を前記検出することに基づいて初期化されるとき前記複数のアプリケーションの各々についての前記ＱＣＩを更新することを備える、初期化することをさらに備える、Ｃ３に記載の方法。
［Ｃ９］
無線アクセスネットワーク（ＲＡＮ）輻輳におけるエクスペリエンス品質（ＱｏＥ）を改善するための装置であって、
ベアラ上でＲＡＮと通信する複数のアプリケーションの各々についての品質制御インジケータ（ＱＣＩ）を示すことと、
前記ＱＣＩに基づいて前記ベアラまたは追加のベアラの変更に関する情報を受信することと、
前記複数のアプリケーションのうちの少なくとも１つについての所望のＱｏＥを達成するために前記情報に従って前記ベアラまたは追加のベアラを変更することと
を行うように構成された処理システムと、
前記処理システムに結合されたメモリとを備える、装置。
［Ｃ１０］
前記処理システムが、
前記ＲＡＮから、利用可能なＱＣＩを示す輻輳ポリシー情報を受信することと、
前記利用可能なＱＣＩから前記複数のアプリケーションの各々についての前記ＱＣＩを選択することとを行うようにさらに構成された、Ｃ９に記載の装置。
［Ｃ１１］
前記処理システムが、前記ＲＡＮにおいて高負荷を検出するようにさらに構成され、前記処理システムが、前記高負荷を前記検出することに部分的に基づいて前記複数のアプリケーションの各々についての前記ＱＣＩを示す、Ｃ９に記載の装置。
［Ｃ１２］
前記処理システムが、部分的に、前記複数のアプリケーションのうちの少なくとも１つのアプリケーションについてのＱｏＥの劣化を検出することによって前記高負荷を検出する、Ｃ１１に記載の装置。
［Ｃ１３］
前記処理システムが、部分的に、前記ＲＡＮから前記高負荷の指示を受信することによって前記高負荷を検出する、Ｃ１１に記載の装置。
［Ｃ１４］
無線アクセスネットワーク（ＲＡＮ）輻輳におけるエクスペリエンス品質（ＱｏＥ）を改善するための装置であって、
ベアラ上でＲＡＮと通信する複数のアプリケーションの各々についての品質制御インジケータ（ＱＣＩ）を示すための手段と、
前記ＱＣＩに基づいて前記ベアラまたは追加のベアラの変更に関する情報を受信するための手段と、
前記複数のアプリケーションのうちの少なくとも１つについての所望のＱｏＥを達成するために前記情報に従って前記ベアラまたは追加のベアラを変更するための手段とを備える、装置。
［Ｃ１５］
前記示すための手段が、前記ＲＡＮから、利用可能なＱＣＩを示す輻輳ポリシー情報を受信し、前記利用可能なＱＣＩから前記複数のアプリケーションの各々についての前記ＱＣＩを選択する、Ｃ１４に記載の装置。
［Ｃ１６］
前記ＲＡＮにおいて高負荷を検出するための手段をさらに備え、前記示すための手段が、前記高負荷に部分的に基づいて前記複数のアプリケーションの各々についての前記ＱＣＩを示す、Ｃ１４に記載の装置。
［Ｃ１７］
前記検出するための手段が、部分的に、前記複数のアプリケーションのうちの少なくとも１つのアプリケーションについてのＱｏＥの劣化を検出することによって前記高負荷を検出する、Ｃ１６に記載の装置。
［Ｃ１８］
前記検出するための手段が、部分的に、前記ＲＡＮから前記高負荷の指示を受信することによって前記高負荷を検出する、Ｃ１６に記載の装置。
［Ｃ１９］
無線アクセスネットワーク（ＲＡＮ）輻輳におけるエクスペリエンス品質（ＱｏＥ）を改善するためのコンピュータプログラム製品であって、
少なくとも１つのコンピュータに、ベアラ上でＲＡＮと通信する複数のアプリケーションの各々についての品質制御インジケータ（ＱＣＩ）を示させるためのコードと、
前記少なくとも１つのコンピュータに、前記ＱＣＩに基づいて前記ベアラまたは追加のベアラの変更に関する情報を受信させるためのコードと、
前記少なくとも１つのコンピュータに、前記複数のアプリケーションのうちの少なくとも１つについての所望のＱｏＥを達成するために前記情報に従って前記ベアラまたは追加のベアラを変更させるためのコードと
を備える、コンピュータ可読媒体を備える、コンピュータプログラム製品。
［Ｃ２０］
前記コンピュータ可読媒体が、
前記少なくとも１つのコンピュータに、前記ＲＡＮから、利用可能なＱＣＩを示す輻輳ポリシー情報を受信させるためのコードと、
前記少なくとも１つのコンピュータに、前記利用可能なＱＣＩから前記複数のアプリケーションの各々についての前記ＱＣＩを選択させるためのコードとをさらに備える、Ｃ１９に記載のコンピュータプログラム製品。
［Ｃ２１］
前記コンピュータ可読媒体が、前記少なくとも１つのコンピュータに、前記ＲＡＮにおいて高負荷を検出させるためのコードをさらに備え、前記少なくとも１つのコンピュータに示させるための前記コードが、前記高負荷に部分的に基づいて前記複数のアプリケーションの各々についての前記ＱＣＩを示す、Ｃ１９に記載のコンピュータプログラム製品。
［Ｃ２２］
前記少なくとも１つのコンピュータに検出させるための前記コードが、部分的に、前記複数のアプリケーションのうちの少なくとも１つのアプリケーションについてのＱｏＥの劣化を検出することによって前記高負荷を検出する、Ｃ２１に記載のコンピュータプログラム製品。
［Ｃ２３］
前記少なくとも１つのコンピュータに検出させるための前記コードが、部分的に、前記ＲＡＮから前記高負荷の指示を受信することによって前記高負荷を検出する、Ｃ２１に記載のコンピュータプログラム製品。
［Ｃ２４］
１つまたは複数のユーザ機器（ＵＥ）についてのエクスペリエンス品質（ＱｏＥ）を改善するための方法であって、
ＵＥから、ベアラに関係する複数のアプリケーションの各々についての品質制御インジケータ（ＱＣＩ）を受信することと、
前記ＵＥにおけるＱｏＥを改善するために前記複数のアプリケーションの各々についての前記ＱＣＩに基づいて、前記ＵＥと通信するために前記ベアラを変更するか、または追加のベアラを追加することとを備える、方法。
［Ｃ２５］
複数の利用可能なＱＣＩを示す１つまたは複数の輻輳制御ポリシーを前記ＵＥに通信することをさらに備える、Ｃ２４に記載の方法。
［Ｃ２６］
前記ＵＥに高負荷を示すことをさらに備え、前記複数のアプリケーションの各々についての前記ＱＣＩが、前記高負荷に応答して受信される、Ｃ２４に記載の方法。
［Ｃ２７］
１つまたは複数のユーザ機器（ＵＥ）についてのエクスペリエンス品質（ＱｏＥ）を改善するための装置であって、
ＵＥから、ベアラに関係する複数のアプリケーションの各々についての品質制御インジケータ（ＱＣＩ）を受信することと、
前記ＵＥにおけるＱｏＥを改善するために前記複数のアプリケーションの各々についての前記ＱＣＩに基づいて、前記ＵＥと通信するために前記ベアラまたは追加のベアラを変更することと
を行うように構成された処理システムと、
前記処理システムに結合されたメモリとを備える、装置。
［Ｃ２８］
前記処理システムが、複数の利用可能なＱＣＩを示す１つまたは複数の輻輳制御ポリシーを前記ＵＥに通信するようにさらに構成された、Ｃ２７に記載の装置。
［Ｃ２９］
前記処理システムが、前記ＵＥに高負荷を示すようにさらに構成され、前記複数のアプリケーションの各々についての前記ＱＣＩが、前記高負荷に応答して受信される、Ｃ２７に記載の装置。
［Ｃ３０］
１つまたは複数のユーザ機器（ＵＥ）についてのエクスペリエンス品質（ＱｏＥ）を改善するための装置であって、
ＵＥから、ベアラに関係する複数のアプリケーションの各々についての品質制御インジケータ（ＱＣＩ）を受信するための手段と、
前記ＵＥにおけるＱｏＥを改善するために前記複数のアプリケーションの各々についての前記ＱＣＩに基づいて、前記ＵＥと通信するために前記ベアラを変更するか、または追加のベアラを追加するための手段とを備える、装置。
［Ｃ３１］
複数の利用可能なＱＣＩを示す１つまたは複数の輻輳制御ポリシーを前記ＵＥに通信するための手段をさらに備える、Ｃ３０に記載の装置。
［Ｃ３２］
前記ＵＥに高負荷を示すための手段をさらに備え、前記複数のアプリケーションの各々についての前記ＱＣＩが、前記高負荷に応答して受信される、Ｃ３０に記載の装置。
［Ｃ３３］
１つまたは複数のユーザ機器（ＵＥ）についてのエクスペリエンス品質（ＱｏＥ）を改善するためのコンピュータプログラム製品であって、
少なくとも１つのコンピュータに、ＵＥから、ベアラに関係する複数のアプリケーションの各々についての品質制御インジケータ（ＱＣＩ）を受信させるためのコードと、
前記少なくとも１つのコンピュータに、前記ＵＥにおけるＱｏＥを改善するために前記複数のアプリケーションの各々についての前記ＱＣＩに基づいて、前記ＵＥと通信するために前記ベアラまたは追加のベアラを変更させるためのコードと
を備える、コンピュータ可読媒体を備える、コンピュータプログラム製品。
［Ｃ３４］
前記コンピュータ可読媒体が、前記少なくとも１つのコンピュータに、複数の利用可能なＱＣＩを示す１つまたは複数の輻輳制御ポリシーを前記ＵＥに通信させるためのコードをさらに備える、Ｃ３３に記載のコンピュータプログラム製品。
［Ｃ３５］
前記コンピュータ可読媒体が、前記少なくとも１つのコンピュータに、前記ＵＥに高負荷を示させるためのコードをさらに備え、前記複数のアプリケーションの各々についての前記ＱＣＩが、前記高負荷に応答して受信される、Ｃ３３に記載のコンピュータプログラム製品。
【図１】
0005869152.tif 000002
【図２】
0005869152.tif 000003
【図３】
0005869152.tif 000004
【図４】
0005869152.tif 000005
【図５】
0005869152.tif 000006
【図６】
0005869152.tif 000007
【図７】
0005869152.tif 000008
【図８】
0005869152.tif 000009
【図９】
0005869152.tif 000010